(57)【要約】      （修正有）【課題】簡単な構成で、一方の入力を優先的に使用する電源切り替え装置を提供する。【解決手段】電源切り替え装置１は、第１入力部１１と第２入力部１２と出力部１６，１７と切り替え部とを備える。第１入力部に接続された第１電源からの電力と、第２入力部に接続された第２電源からの電力の一方は、切り替え部を介して、出力部に接続された電気機器に供給され、切り替え部は、第１入力部を介して、第１電源からの電力供給が可能な状態であるときは、第１入力部と出力部とが電気的に接続した状態にし、第１入力部を介して、第１電源からの電力供給が可能な状態でなく、第２入力部を介して、第２電源からの電力供給が可能な状態である場合には、第２入力部と出力部とが電気的に接続した状態にするものであり、第１入力部と第２入力部は、切り替え部を含む筐体１０から延びるコードと、コードの先端に設けられた差込プラグを有する。【選択図】図１
0003195064.tif 000002
【実用新案登録請求の範囲】
【請求項１】
第１入力部と、
第２入力部と、
出力部と、
切り替え部とを備え、
前記第１入力部に接続された第１電源からの電力と、前記第２入力部に接続された第２電源からの電力の一方は、前記切り替え部を介して、前記出力部に接続された電気機器に供給され、
前記切り替え部は、前記第１入力部を介して、前記第１電源からの電力供給が可能な状態であるときは、前記第１入力部と前記出力部とが電気的に接続した状態にし、前記第１入力部を介して、前記第１電源からの電力供給が可能な状態でなく、前記第２入力部を介して、前記第２電源からの電力供給が可能な状態である場合には、前記第２入力部と前記出力部とが電気的に接続した状態にするものであり、
前記第１入力部と前記第２入力部は、前記切り替え部を含む筐体から延びるコードと、前記コードの先端に設けられた差込プラグを有する、若しくは、前記筐体の壁面に設けられたコンセント形状を有することを特徴とする電源切り替え装置。
【請求項２】
前記第１入力部と前記第２入力部は、前記コードと前記差込プラグを有するものであり、
前記出力部は、前記筐体の壁面に設けられたコンセント形状を有することを特徴とする請求項１に記載の電源切り替え装置。
【請求項３】
前記切り替え部は、第１リレー、第２リレー、第３リレーを有し、
前記第１リレーのコイルと、前記第２リレーのコイルは、前記第２電源から供給された電力に基づいて駆動し、
前記第３リレーのコイルは、前記第１電源から供給された電力に基づいて駆動し、
前記第３リレーのスイッチは、前記第３リレーのコイルがオン状態の時に、前記第１リレーのコイルや前記第２リレーのコイルをオフ状態にし、前記第３リレーのコイルがオフ状態で、且つ前記第２入力部を介して前記第２電源からの電力供給が可能な状態である場合に、前記第１リレーのコイルや前記第２リレーのコイルをオン状態にし、
前記第１リレーのスイッチと前記第２リレーのスイッチは、前記第１リレーのコイルと前記第２リレーのコイルがオフ状態の時に、前記第１入力部と前記出力部とが電気的に接続した状態にし、前記第１リレーのコイルと前記第２リレーのコイルがオン状態の時に、前記第２入力部と前記出力部とが電気的に接続した状態にすることを特徴とする請求項１に記載の電源切り替え装置。
【請求項４】
前記第１リレーを介して、前記第１入力部の電圧極側端子と前記第２入力部の電圧極側端子の一方が、前記出力部の電圧極側端子と接続され、
前記第２リレーを介して、前記第１入力部の接地側極端子と前記第２入力部の接地側極端子の一方が、前記出力部の接地側極端子と接続されることを特徴とする請求項３に記載の電源切り替え装置。
【請求項５】
前記第１リレーのコイル、前記第２リレーのコイル、前記第３リレーのコイルには、並列にサージ吸収素子が接続されることを特徴とする請求項３に記載の電源切り替え装置。
【請求項６】
前記第１電源は、発電装置若しくは蓄電装置であり、
前記第２電源は、商用電源であることを特徴とする請求項１に記載の電源切り替え装置。
【考案の詳細な説明】
【技術分野】
【０００１】
本考案は、電源切り替え装置に関する。
【背景技術】
【０００２】
従来、特許文献１のように、自家用発電に基づく電力と、商用電源に基づく電力とを切り替える電力切り替え装置（電力供給装置）が提案されている。
【先行技術文献】
【特許文献】
【０００３】
【特許文献１】特開２０１４−７９０７号公報
【考案の概要】
【考案が解決しようとする課題】
【０００４】
しかし、切り替えに時刻設定などが必要であり、構成が複雑となる。
【０００５】
したがって本考案の目的は、簡単な構成で、一方の入力を優先的に使用する電源切り替え装置を提供することである。
【課題を解決するための手段】
【０００６】
本考案に係る電源切り替え装置は、第１入力部と、第２入力部と、出力部と、切り替え部とを備え、第１入力部に接続された第１電源からの電力と、第２入力部に接続された第２電源からの電力の一方は、切り替え部を介して、出力部に接続された電気機器に供給され、切り替え部は、第１入力部を介して、第１電源からの電力供給が可能な状態であるときは、第１入力部と出力部とが電気的に接続した状態にし、第１入力部を介して、第１電源からの電力供給が可能な状態でなく、第２入力部を介して、第２電源からの電力供給が可能な状態である場合には、第２入力部と出力部とが電気的に接続した状態にするものであり、第１入力部と第２入力部は、切り替え部を含む筐体から延びるコードと、コードの先端に設けられた差込プラグを有する、若しくは、筐体の壁面に設けられたコンセント形状を有する。
【０００７】
時間設定などを行わずとも、切り替え部を使った簡単な構成で、第１入力部に接続された第１電源を優先的に使用し、第１入力部に接続された電源からの電力供給が出来ない場合には、第２入力部に接続された第２電源からの電力に基づいて、出力部に接続された電気機器に電力を供給する切り替え制御を自動的に行うことが可能になる。
【０００８】
第１入力部や第２入力部が、筐体から延びるコードと当該コードの先端に設けられた差込プラグ、若しくは筐体の壁面に設けられたコンセントで構成されるため、使用者は、当該差込プラグを所定のコンセントに差し込みする、若しくは当該コンセントに接続したプラグ付電源コードを所定のコンセントに差し込みするだけで接続が出来、コンセントやプラグで構成しない形態に比べて、誤配線せずに、周辺機器との接続を行うことが可能になる。
【０００９】
好ましくは、第１入力部と第２入力部は、コードと差込プラグを有するものであり、出力部は、筐体の壁面に設けられたコンセント形状を有する。
【００１０】
入力部側をコードと差込プラグで構成し、出力部側をコンセントで構成した場合には、入力と出力とでの誤配線も起きにくく出来る。
【００１１】
また、好ましくは、切り替え部は、第１リレー、第２リレー、第３リレーを有し、第１リレーのコイルと、第２リレーのコイルは、第２電源から供給された電力に基づいて駆動し、第３リレーのコイルは、第１電源から供給された電力に基づいて駆動し、第３リレーのスイッチは、第３リレーのコイルがオン状態の時に、第１リレーのコイルや第２リレーのコイルをオフ状態にし、第３リレーのコイルがオフ状態で、且つ第２入力部を介して第２電源からの電力供給が可能な状態である場合に、第１リレーのコイルや第２リレーのコイルをオン状態にし、第１リレーのスイッチと第２リレーのスイッチは、第１リレーのコイルと第２リレーのコイルがオフ状態の時に、第１入力部と出力部とが電気的に接続した状態にし、第１リレーのコイルと第２リレーのコイルがオン状態の時に、第２入力部と出力部とが電気的に接続した状態にする。
【００１２】
第１入力部への電力供給がされている間は、第１入力部を介した電力に基づく電力消費だけ行われ、第２入力部を介した電力に基づく電力消費が行われない。
【００１３】
さらに好ましくは、第１リレーを介して、第１入力部の電圧極側端子と第２入力部の電圧極側端子の一方が、出力部の電圧極側端子と接続され、第２リレーを介して、第１入力部の接地側極端子と第２入力部の接地側極端子の一方が、出力部の接地側極端子と接続される。
【００１４】
また、好ましくは、第１リレーのコイル、第２リレーのコイル、第３リレーのコイルには、並列にサージ吸収素子が接続される。
【００１５】
また、好ましくは、第１電源は、発電装置若しくは蓄電装置であり、第２電源は、商用電源である。
【００１６】
第１入力部に接続した発電装置若しくは蓄電装置が電力供給可能な状態である時は、当該発電装置若しくは当該蓄電装置からの電力を使うことで、その間は商用電源からの電力を使わずに、出力部に接続された電気機器に電力を供給することが出来、商用電源を用いることによる電気代を節約することが可能になる。
【考案の効果】
【００１７】
以上のように本考案によれば、簡単な構成で、一方の入力を優先的に使用する電源切り替え装置を提供することができる。
【図面の簡単な説明】
【００１８】
【図１】本実施形態における電源切り替え装置と周辺機器の構成図である。
【図２】第１状態におけるスイッチ状態を示す電源切り替え装置の回路構成図である。
【図３】第２状態におけるスイッチ状態を示す電源切り替え装置の回路構成図である。
【図４】第３状態におけるスイッチ状態を示す電源切り替え装置の回路構成図である。
【考案を実施するための形態】
【００１９】
以下、本実施形態について、図を用いて説明する。本実施形態における電源切り替え装置１は、筐体１０、第１入力部１１、第２入力部１２、第１点灯部１４ａ、第２点灯部１４ｂ、第１出力部１６、第２出力部１７、切り替え部２０、第１サージ吸収素子４１〜第６サージ吸収素子４６、ヒューズ４９を備える（図１、図２参照）。
【００２０】
筐体１０は略直方体形状を有し、壁面から第１入力部１１のコードや第２入力部１２のコードが延び、当該壁面には、第１点灯部１４ａや第２点灯部１４ｂや第１出力部１６や第２出力部１７が設けられる。
【００２１】
第１入力部１１は、筐体１０から延びるコードと、当該コードの先端に設けられた差込プラグとを有し、ＤＣ／ＡＣインバーターを介して、ソーラーパネルなどの発電装置若しくは、バッテリーなどの蓄電装置と接続される。ただし、当該発電装置が、交流発電機である場合は、ＤＣ／ＡＣインバーターを介さずに、接続される。
【００２２】
第１入力部１１は、筐体１０から延びるコードの先端に設けられた差込プラグが、ＤＣ／ＡＣインバーターなどに設けられたコンセントに差し込みされて接続される。
【００２３】
第１出力部１６や第２出力部１７のコンセント形状と誤接続を防止するため、第１入力部１１は、筐体１０から延びるコードと、当該コードの先端に設けられた差込プラグとで構成される形態が望ましいが、第１入力部１１が、コンセント形状を有し、筐体１０の壁面などに設けられて、プラグ付電源コードを介して、ＤＣ／ＡＣインバーターなどに接続される形態であってもよい。
【００２４】
第２入力部１２は、筐体１０から延びるコードと、当該コードの先端に設けられた差込プラグとを有し、商用電源のコンセントに接続され、第１入力部１１を介して接続された発電装置若しくは蓄電装置からの電力供給が十分で無い場合の電力供給用電源との接続用に使用される。
【００２５】
第２入力部１２は、筐体１０から延びるコードの先端に設けられた差込プラグが、商用電源のコンセントに差し込みされて接続される。
【００２６】
第１出力部１６や第２出力部１７のコンセント形状と誤接続を防止するため、第２入力部１２は、筐体１０から延びるコードと、当該コードの先端に設けられた差込プラグとで構成される形態が望ましいが、第２入力部１２が、コンセント形状を有し、筐体１０の壁面などに設けられて、プラグ付電源コードを介して、商用電源のコンセントに接続される形態であってもよい。
【００２７】
第１入力部１１に接続された発電装置若しくは蓄電装置からの電力と、第２入力部１２に接続された商用電源からの電力の一方は、切り替え部２０を介して、第１出力部１６や第２出力部１７に接続された電気機器に供給される。
【００２８】
第１点灯部１４ａは、第１入力部１１と接続される。
第１点灯部１４ａは、第１入力部１１を介して、第１入力部１１に接続された電源（発電装置や蓄電装置）から、電力の供給を受けている間は、点灯し（第１状態）、第１入力部１１を介して、第１入力部１１に接続された電源（発電装置や蓄電装置）から、電力の供給を受けていない間は、消灯する（第２状態、第３状態）。
【００２９】
第２点灯部１４ｂは、切り替え部２０を介して、第１入力部１１や第２入力部１２と接続される。
第２灯部２６ｂは、第１入力部１１若しくは第２入力部１２を介して、第１入力部１１に接続された電源（発電装置や蓄電装置）、若しくは、第２入力部１２に接続された商用電源から、電力の供給を受けている間は、点灯し（第１状態、第２状態）、第１入力部１１若しくは第２入力部１２を介して、第１入力部１１に接続された電源（発電装置や蓄電装置）、若しくは、第２入力部１２に接続された商用電源から、電力の供給を受けていない間は、消灯する（第３状態）。
【００３０】
第１出力部１６や第２出力部１７は、コンセント形状を有し、筐体１０の壁面などに設けられ、筐体１０の内部に設けられた切り替え部２０を介して、第１入力部１１や第２入力部１２と電気的に接続される。
【００３１】
具体的には、第１入力部１１に接続された電源（発電装置や蓄電装置）から、第１入力部１１を介して、電力の供給を受けている間は、第１出力部１６や第２出力部１７は、切り替え部２０を介して、第１入力部１１と電気的に接続された状態にされる（第１状態、図２参照）。
【００３２】
第１入力部１１を介して、電力の供給を受けておらず、第２入力部１２に接続された電源（商用電源）から、第２入力部１２を介して、電力の供給を受けている間は、第１出力部１６や第２出力部１７は、切り替え部２０を介して、第２入力部１２と電気的に接続された状態にされる（第２状態、図３参照）。
【００３３】
なお、第１入力部１１や第２入力部１２を介して、電力の供給を受けていない間は、第１状態と同様に、第１出力部１６や第２出力部１７は、切り替え部２０を介して、第１入力部１１と電気的に接続された状態にされる（第３状態、図４参照）。
【００３４】
本実施形態では、２つの出力部（第１出力部１６と第２出力部１７）を有する形態を説明するが、出力部の数は２つに限らない。
【００３５】
切り替え部２０は、第１リレー２１ａ、第２リレー２１ｂ、第３リレー２１ｃを有し、第１入力部１１と第１出力部１６や第２出力部１７とが電気的に接続された第１状態と、第２入力部１２と第１出力部１６や第２出力部１７とが電気的に接続された第２状態とを切り替える。
【００３６】
具体的には、切り替え部２０は、第１入力部１１に接続された発電装置（若しくは蓄電装置）からの電力を、優先的に、第１出力部１６や第２出力部１７に接続された電気機器に供給させ（第１状態）、当該発電装置（若しくは当該蓄電装置）からの電力供給が十分でない場合には、第２入力部１２に接続された商用電源からの電力を、第１出力部１６や第２出力部１７に接続された電気機器に供給させる（第２状態）。
【００３７】
すなわち、切り替え部２０は、第１入力部１１に接続された発電装置若しくは蓄電装置からの電力供給状態などに基づいて制御され、第１入力部１１に接続した発電装置若しくは蓄電装置からの電力供給が可能な状態であるときは、第１入力部１１と第１出力部１６や第２出力部１７とが電気的に接続した状態にし、第１入力部１１に接続した発電装置若しくは蓄電装置からの電力供給が可能な状態でなく、第２入力部１２に商用電源が接続された場合（第２入力部１２に接続した商用電源からの電力供給が可能な状態である場合）には、第２入力部１２と第１出力部１６や第２出力部１７とが電気的に接続した状態にする。
【００３８】
第１リレー２１ａは、第１コイル２１ａ１、第１可動接点２１ａ２、第１ブレーク接点（常時閉路接点）２１ａ３、第１メーク接点（常時開路接点）２１ａ４を有する。
第１可動接点２１ａ２、第１ブレーク接点２１ａ３、第１メーク接点２１ａ４が、第１リレー２１ａのスイッチを構成する。
第２リレー２１ｂは、第２コイル２１ｂ１、第２可動接点２１ｂ２、第２ブレーク接点（常時閉路接点）２１ｂ３、第２メーク接点（常時開路接点）２１ｂ４を有する。
第２可動接点２１ｂ２、第２ブレーク接点２１ｂ３、第２メーク接点２１ｂ４が、第２リレー２１ｂのスイッチを構成する。
第３リレー２１ｃは、第３コイル２１ｃ１、第３可動接点２１ｃ２、第３ブレーク接点（常時閉路接点）２１ｃ３、第３メーク接点（常時開路接点）２１ｃ４を有する。
第３可動接点２１ｃ２、第３ブレーク接点２１ｃ３、第３メーク接点２１ｃ４が、第３リレー２１ｃのスイッチを構成する。
【００３９】
次に、各部の端子や接点の接続について説明する。
【００４０】
第１入力部１１のＬ端子（電圧極側端子）は、第４サージ吸収素子４４を介して接地され、また、第１ブレーク接点２１ａ３や第３コイル２１ｃ１の一方の端子や第２サージ吸収素子４２の一方の端子や第１点灯部１４ａのＬ端子と接続する。
第１入力部１１のＷ端子（接地極側端子）は、第３サージ吸収素子４３を介して接地され、また、第２ブレーク接点２１ｂ３や第３コイル２１ｃ１の他方の端子や第２サージ吸収素子４２の他方の端子や第１点灯部１４ａのＷ端子と接続する。
第１入力部１１のＧ端子は、接地される。
【００４１】
第２入力部１２のＬ端子は、第６サージ吸収素子４６を介して接地され、また、第１メーク接点２１ａ４や第３可動接点２１ｃ２と接続する。
第２入力部１２のＷ端子は、第５サージ吸収素子４５を介して接地され、また、第２メーク接点２１ｂ４や第１コイル２１ａ１の一方の端子や第２コイル２１ｂ１の一方の端子や第１サージ吸収素子４１の一方の端子と接続する。
第２入力部１２のＧ端子は、接地される。
【００４２】
第１コイル２１ａ１は、第３リレー２１ｃによってオンオフ制御され、第２入力部１２に接続された商用電源から供給された電力に基づいて駆動する。
【００４３】
第１コイル２１ａ１の一方の端子は、第２入力部１２のＷ端子や第２コイル２１ｂ１の一方の端子や第２メーク接点２１ｂ４や第１サージ吸収素子４１の一方の端子と接続する。
第１コイル２１ａ１の他方の端子は、第３ブレーク接点２１ｃ３や第２コイル２１ｂ１の他方の端子や第１サージ吸収素子４１の他方の端子と接続する。
【００４４】
第１可動接点２１ａ２は、ヒューズ４９を介して、第１出力部１６のＬ端子や第２出力部１７のＬ端子や第２点灯部１４ｂのＬ端子と接続する。
また、第１可動接点２１ａ２は、第１コイル２１ａ１のオンオフ状態に応じて動作し、第１コイル２１ａ１がオフ状態の時、第１ブレーク接点２１ａ３と接触し（第１状態、第３状態）、第１コイル２１ａ１がオン状態の時、第１メーク接点２１ａ４と接触する（第２状態）。
【００４５】
第１ブレーク接点２１ａ３は、第１入力部１１のＬ端子や第３コイル２１ｃ１の一方の端子や第２サージ吸収素子４２の一方の端子や第１点灯部１４ａのＬ端子と接続する。
【００４６】
第１メーク接点２１ａ４は、第２入力部１２のＬ端子や第３可動接点２１ｃ２と接続する。
【００４７】
従って、第１リレー２１ａを介して、第１入力部１１のＬ端子（電圧極側端子）と第２入力部１２のＬ端子（電圧極側端子）の一方が、第１出力部１６や第２出力部１７のＬ端子（電圧極側端子）と接続されることになる。
【００４８】
第２コイル２１ｂ１は、第３リレー２１ｃによってオンオフ制御され、第２入力部１２に接続された商用電源から供給された電力に基づいて駆動する。
【００４９】
第２コイル２１ｂ１の一方の端子は、第２入力部１２のＷ端子や第１コイル２１ａ１の一方の端子や第２メーク接点２１ｂ４や第１サージ吸収素子４１の一方の端子と接続する。
第２コイル２１ｂ１の他方の端子は、第３ブレーク接点２１ｃ３や第１コイル２１ａ１の他方の端子や第１サージ吸収素子４１の他方の端子と接続する。
【００５０】
第２可動接点２１ｂ２は、第１出力部１６のＷ端子や第２出力部１７のＷ端子や第２点灯部１４ｂのＷ端子と接続する。
また、第２可動接点２１ｂ２は、第２コイル２１ｂ１のオンオフ状態に応じて動作し、第２コイル２１ｂ１がオフ状態の時、第２ブレーク接点２１ｂ３と接触し（第１状態、第３状態）、第２コイル２１ｂ１がオン状態の時、第２メーク接点２１ｂ４と接触する（第２状態）。
【００５１】
第２ブレーク接点２１ｂ３は、第１入力部１１のＷ端子や第３コイル２１ｃ１の他方の端子や第２サージ吸収素子４２の他方の端子や第１点灯部１４ａのＷ端子と接続する。
【００５２】
第２メーク接点２１ｂ４は、第２入力部１２のＷ端子や第１コイル２１ａ１の一方の端子や第２コイル２１ｂ１の一方の端子や第１サージ吸収素子４１の一方の端子と接続する。
【００５３】
従って、第２リレー２１ｂを介して、第１入力部１１のＷ端子（接地側極端子）と第２入力部１２のＷ端子（接地側極端子）の一方が、第１出力部１６や第２出力部１７のＷ端子（接地側極端子）と接続されることになる。
【００５４】
第３コイル２１ｃ１は、第１入力部１１と発電装置若しくは蓄電装置との接続状態や、第１入力部１１に接続された発電装置若しくは蓄電装置からの電力供給状態によってオンオフ制御され、第１入力部１１に接続された発電装置若しくは蓄電装置から供給された電力に基づいて駆動する。
【００５５】
第３コイル２１ｃ１の一方の端子は、第１入力部１１のＬ端子や第１ブレーク接点２１ａ３や第２サージ吸収素子４２の一方の端子や第１点灯部１４ａのＬ端子と接続する。
第３コイル２１ｃ１の他方の端子は、第１入力部１１のＷ端子や第２ブレーク接点２１ｂ３や第２サージ吸収素子４２の他方の端子や第１点灯部１４ａのＷ端子と接続する。
【００５６】
第３可動接点２１ｃ２は、第１メーク接点２１ａ４や第２入力部１２のＬ端子と接続する。
また、第３可動接点２１ｃ２は、第３コイル２１ｃ１のオンオフ状態に応じて動作し、第３コイル２１ｃ１がオフ状態の時、第３ブレーク接点２１ｃ３と接触し（第２状態、第３状態）、第３コイル２１ｃ１がオン状態の時、第３メーク接点２１ｃ４と接触する（第１状態）。
【００５７】
第３ブレーク接点２１ｃ３は、第１コイル２１ａ１の他方の端子や第２コイル２１ｂ１の他方の端子や第１サージ吸収素子４１の他方の端子と接続する。
【００５８】
第３メーク接点２１ｃ４は、上述の接点や端子との接続はない。
【００５９】
第１出力部１６のＬ端子は、ヒューズ４９を介して、第１可動接点２１ａ２と接続され、また、第２出力部１７のＬ端子や第２点灯部１４ｂのＬ端子と接続する。
第１出力部１６のＷ端子は、第２可動接点２１ｂ２や第２出力部１７のＷ端子や第２点灯部１４ｂのＷ端子と接続する。
第１出力部１６のＧ端子は接地される。
【００６０】
第２出力部１７のＬ端子は、ヒューズ４９を介して、第１可動接点２１ａ２と接続され、また、第１出力部１６のＬ端子や第２点灯部１４ｂのＬ端子と接続する。
第２出力部１７のＷ端子は、第２可動接点２１ｂ２や第１出力部１６のＷ端子や第２点灯部１４ｂのＷ端子と接続する。
第２出力部１７のＧ端子は接地される。
【００６１】
ヒューズ４９は、第１入力部１１に接続された発電装置若しくは蓄電装置からの電力供給、または、第２入力部１２に接続された商用電源からの電力供給に基づいて、第１出力部１６や第２出力部１７を介して電気機器に定格以上の電流が流れた場合に溶断する電子部品で、取り替えを容易にするため、筐体１０の壁面（若しくは壁面近傍）に配置される。
【００６２】
第１サージ吸収素子４１〜第６サージ吸収素子４６は、スイッチ切り替え時のサージ電圧（逆起電力）などによる電子部品の破損防止のために設けられ、第１リレー２１ａのコイル（第１コイル２１ａ１）や第２リレー２１ｂのコイル（第２コイル２１ｂ１）は、並列に第１サージ吸収素子４１が接続され、第３リレー２１ｃのコイル（第３コイル２１ｃ１）は、並列に第２サージ吸収素子４２が接続される。
【００６３】
次に、切り替え部２０の動作（第１状態〜第３状態）について説明する。
【００６４】
第１入力部１１に、発電装置若しくは蓄電装置が接続され、当該発電装置若しくは蓄電装置から電力が供給されている時は、第１点灯部１４ａはオン状態となり点灯し、第３コイル２１ｃ１がオン状態となり、第３可動接点２１ｃ２は第３メーク接点２１ｃ４と接触する。
【００６５】
このとき、第１コイル２１ａ１や第２コイル２１ｂ１はオフ状態となり、第１可動接点２１ａ２は第１ブレーク接点２１ａ３と接触し、第２可動接点２１ｂ２は第２ブレーク接点２１ｂ３と接触する。
【００６６】
すなわち、第３リレー２１ｃのスイッチ（第３可動接点２１ｃ２、第３ブレーク接点２１ｃ３、第３メーク接点２１ｃ４）は、第３リレー２１ｃのコイル（第３コイル２１ｃ１）がオン状態の時に、第１リレー２１ａのコイル（第１コイル２１ａ１）や第２リレー２１ｂのコイル（第２コイル２１ｂ１）をオフ状態にする。
【００６７】
また、第１リレー２１ａのスイッチ（第１可動接点２１ａ２、第１ブレーク接点２１ａ３、第１メーク接点２１ａ４）と第２リレー２１ｂのスイッチ（第２可動接点２１ｂ２、第２ブレーク接点２１ｂ３、第２メーク接点２１ｂ４）は、第１リレー２１ａのコイル（第１コイル２１ａ１）と第２リレーのコイル（第２コイル２１ｂ１）がオフ状態の時に、第１入力部１１と第１出力部１６や第２出力部１７が電気的に接続した状態にする。
【００６８】
これにより、第１入力部１１と第１出力部１６や第２出力部１７が導通し、第１入力部１１に接続された発電装置若しくは蓄電装置から供給された電力が、第１出力部１６や第２出力部１７に接続された電気機器に供給されうる状態になる（第１状態、図２参照）。
【００６９】
また、第１入力部１１に接続された発電装置若しくは蓄電装置から供給された電力に基づいて、第２点灯部１４ｂはオン状態となり、点灯する。
【００７０】
第１入力部１１に、発電装置若しくは蓄電装置が接続されていない、若しくは、当該発電装置若しくは蓄電装置が接続されているが、当該発電装置若しくは蓄電装置から電力が十分に供給されていない時であって、第２入力部１２に、商用電源が接続されている場合は、第１点灯部１４ａはオフ状態となり消灯し、第３コイル２１ｃ１がオフ状態となり、第３可動接点２１ｃ２は第３ブレーク接点２１ｃ３と接触する。
【００７１】
このとき、第１コイル２１ａ１や第２コイル２１ｂ１はオン状態となり、第１可動接点２１ａ２は第１メーク接点２１ａ４と接触し、第２可動接点２１ｂ２は第２メーク接点２１ｂ４と接触する。
【００７２】
すなわち、第３リレー２１ｃのスイッチ（第３可動接点２１ｃ２、第３ブレーク接点２１ｃ３、第３メーク接点２１ｃ４）は、第３リレー２１ｃのコイル（第３コイル２１ｃ１）がオフ状態の時で、且つ第２入力部１２を介して商用電源からの電力供給が可能な状態である場合に、第１リレー２１ａのコイル（第１コイル２１ａ１）や第２リレー２１ｂのコイル（第２コイル２１ｂ１）をオン状態にする。
【００７３】
また、第１リレー２１ａのスイッチ（第１可動接点２１ａ２、第１ブレーク接点２１ａ３、第１メーク接点２１ａ４）と第２リレー２１ｂのスイッチ（第２可動接点２１ｂ２、第２ブレーク接点２１ｂ３、第２メーク接点２１ｂ４）は、第１リレー２１ａのコイル（第１コイル２１ａ１）と第２リレーのコイル（第２コイル２１ｂ１）がオン状態の時に、第２入力部１２と第１出力部１６や第２出力部１７が電気的に接続した状態にする。
【００７４】
これにより、第２入力部１２と第１出力部１６や第２出力部１７が導通し、第２入力部に接続された商用電源から供給された電力が、第１出力部１６や第２出力部１７に接続された電気機器に供給されうる状態になる（第２状態、図３参照）。
【００７５】
また、第２入力部１２に接続された商用電源から供給された電力に基づいて、第２点灯部１４ｂはオン状態となり、点灯する。
【００７６】
第１入力部１１に、発電装置若しくは蓄電装置が接続されていない、若しくは、当該発電装置若しくは蓄電装置が接続されているが、当該発電装置若しくは蓄電装置から電力が十分に供給されていない時であって、第２入力部１２に、商用電源が接続されていない場合は、第１点灯部１４ａはオフ状態となり消灯し、第３コイル２１ｃ１がオフ状態となり、第３可動接点２１ｃ２は第３ブレーク接点２１ｃ３と接触する。
【００７７】
但し、第１コイル２１ａ１や第２コイル２１ｂ１に、第２入力部１２を介して、商用電源からの電力が供給されないため、第１コイル２１ａ１や第２コイル２１ｂ１はオフ状態となり、第１可動接点２１ａ２は第１ブレーク接点２１ａ３と接触し、第２可動接点２１ｂ２は第２ブレーク接点２１ｂ３と接触する。
【００７８】
これにより、第１入力部１１と第１出力部１６や第２出力部１７が導通した状態となるが、第１入力部１１に、発電装置若しくは蓄電装置が接続されていない、若しくは、当該発電装置若しくは蓄電装置が接続されているが、当該発電装置若しくは蓄電装置から電力が十分に供給されていないので、第１出力部１６や第２出力部１７に接続された電気機器への電力供給は無い（第３状態、図４参照）。
【００７９】
また、第２点灯部１４ｂはオフ状態となり、消灯する。
【００８０】
本実施形態では、時間設定などを行わずとも、切り替え部２０を使った簡単な構成で、第１入力部１１に接続された電源を優先的に使用し、第１入力部１１に接続された電源からの電力供給が出来ない場合には、第２入力部１２に接続された商用電源からの電力に基づいて、第１出力部１６や第２出力部１７に接続された電気機器に電力を供給する切り替え制御を自動的に行うことが可能になる。
【００８１】
第１入力部１１に接続した発電装置若しくは蓄電装置が電力供給可能な状態である時は、当該発電装置若しくは当該蓄電装置からの電力を使うことで、その間は商用電源からの電力を使わずに、第１出力部１６や第２出力部１７に接続された電気機器に電力を供給することが出来、商用電源を用いることによる電気代を節約することが可能になる。
【００８２】
特に、第１入力部１１への電力供給がされている間は、第１入力部１１を介した電力に基づく電力消費だけ行われ、第２入力部１２を介した電力に基づく電力消費が行われない。
【００８３】
第１入力部１１や第２入力部１２が、筐体１０から延びるコードと当該コードの先端に設けられた差込プラグ、若しくは筐体１０の壁面に設けられたコンセントで構成されるため、使用者は、当該差込プラグを所定のコンセント（ＤＣ／ＡＣインバーターのコンセントなど）に差し込みする、若しくは当該コンセントに接続したプラグ付電源コードを所定のコンセントに差し込みするだけで接続が出来、コンセントやプラグで構成しない形態に比べて、誤配線せずに、周辺機器との接続を行うことが可能になる。
【００８４】
特に、入力部側をコードと差込プラグで構成し、出力部側をコンセントで構成した場合には、入力と出力とでの誤配線も起きにくく出来る。
【００８５】
なお、本実施形態では、第１入力部１１に接続される電源（第１電源）が発電装置若しくは蓄電装置であり、第２入力部１２に接続される電源（第２電源）が商用電源である形態を説明したが、第１電源や第２電源がこれらと異なる形態であってもよい。
【００８６】
例えば、第２電源が、第１電源の発電装置とは異なる発電方式の発電装置である形態が考えられ、この場合でも、第１入力部１１に接続された第１電源を優先的に使用し、第１電源からの電力供給が十分で無い場合に、自動的に第２入力部１２に接続された第２電源を使用するように切り替えることが可能になる。
【符号の説明】
【００８７】
１  電源切り替え装置
１０  筐体
１１  第１入力部
１２  第２入力部
１４ａ  第１点灯部
１４ｂ  第２点灯部
１６  第１出力部
１７  第２出力部
２０  切り替え部
２１ａ〜２１ｃ  第１リレー〜第３リレー
２１ａ１〜２１ｃ１  第１コイル〜第３コイル
２１ａ２〜２１ｃ２  第１可動接点〜第３可動接点
２１ａ３〜２１ｃ３  第１ブレーク接点〜第３ブレーク接点
２１ａ４〜２１ｃ４  第１メーク接点〜第３メーク接点
４１〜４６  第１サージ吸収素子〜第６サージ吸収素子
４９  ヒューズ
【図１】
0003195064.tif 000003
【図２】
0003195064.tif 000004
【図３】
0003195064.tif 000005
【図４】
0003195064.tif 000006